(57)【要約】【課題】デジタルテレビ放送のチャンネル設定を簡易に実現する。【解決手段】デジタルテレビ放送受信装置のＣＰＵが実行するステップは、受信国の設定がＬＣＮ対応国であり（Ｓ６１０にてＹＥＳ）、オリジナルネットワーク識別と国設定とが一致し（Ｓ６２０にてＹＥＳ）、ＬＣＮ情報がＴＳに含まれる場合に（Ｓ６３０にてＹＥＳ）、ＬＣＮと同じチャンネル番号を割り当てるステップ（Ｓ６４０）と、オリジナルネットワーク識別と国設定とが一致しない場合に（Ｓ６１０にてＮＯ）、８００番以降にチャンネル番号を割り当てるステップ（Ｓ６７０）と、受信国の設定がＬＣＮ対応国でなく（Ｓ６１０にてＮＯ）、オリジナルネットワーク識別と国設定とが一致しない場合に（Ｓ６２０にてＹＥＳ）、１番からチャンネル番号を割り当てるステップ（Ｓ６６０）とを含む。【選択図】図６
2009225267.tif 000002
【特許請求の範囲】
【請求項１】
放送波を受信するためのテレビジョン受信装置であって、前記放送波は、前記放送波の発信国を特定するためのコードと、論理チャンネル番号の設定の要否を示すデータとを含み、
前記テレビジョン受信装置は、
放送波を受信するための受信手段と、
放送波を受信する国として選択された国とを格納するように構成された記憶手段と、
前記テレビジョン受信装置の動作を制御する制御装置とを備え、
前記制御装置は、
受信された放送波に含まれる前記設定の要否を示すデータに基づいて、前記選択された国が、論理チャンネル番号の設定に対応しているか否かを判断する第１の判断手段と、
受信された前記放送波に含まれる前記コードと、前記選択された国とが一致しているか否かを判断する第２の判断手段と、
受信された前記放送波が論理チャンネル番号を含むか否かを判断する第３の判断手段と、
受信された前記放送波が論理チャンネル番号を含む場合に、前記論理チャンネル番号を前記テレビジョン受信装置のチャンネル番号に設定する第１の設定手段とを含む、テレビジョン受信装置。
【請求項２】
前記制御装置は、
受信された前記放送波に含まれる前記コードと、前記選択された国とが一致しているか否かを判断する第４の判断手段と、
前記コードと、前記選択された国とが一致している場合に、チャンネルの割り当てのために予め確保された番号を、前記テレビジョン受信装置が前記放送波を受信するためのチャンネル番号として設定する第２の設定手段とをさらに含む、請求項１に記載のテレビジョン受信装置。
【請求項３】
チャンネルの割り当てのために予め確保された番号は、１から７９９を含む、請求項２に記載のテレビジョン受信装置。
【請求項４】
前記選択された国が、論理チャンネル番号の設定に対応していない場合に、前記第４の判断手段は、前記コードと、前記選択された国とが一致しているか否かを判断する、請求項２または請求項３に記載のテレビジョン受信装置。
【請求項５】
前記制御装置は、
受信された前記放送波が論理チャンネル番号を含まない場合に、チャンネルの割り当てに使用されない番号として予め規定された番号以降に、前記テレビジョン受信装置が前記放送波を受信するためのチャンネル番号として設定する第３の設定手段をさらに含む、請求項１〜請求項４のいずれかに記載のテレビジョン受信装置。
【請求項６】
前記予め規定された番号は、８００を含む、請求項５に記載のテレビジョン受信装置。
【請求項７】
前記放送波の発信国を特定するためのコードは、デジタル放送を一意に識別するオリジナルネットワーク識別を含む、請求項１〜６のいずれかに記載のテレビジョン受信装置。
【発明の詳細な説明】
【技術分野】
【０００１】
本発明はテレビジョン受信装置に関し、より特定的には、放送を受信するチャンネルを設定する技術に関する。
【背景技術】
【０００２】
欧州のデジタルテレビ放送では、トランスポートストリームに含まれるチャンネル構成情報をテレビジョン受信装置に登録する際、視聴者に表示するためのチャンネル番号を割り当てる必要がある。デジタル放送規格ＤＶＢ  ＳＩ規格（ＥＴＳＩ  ＥＮ  ３００  ４６８）において、デジタルテレビ放送のトランスポートストリームは、ＮＩＴ（Network  Information  Table）を含む。ＮＩＴは、伝送路の情報と放送サービスを関連付ける。ＮＩＴは、チャンネル構成情報と、放送国の情報とを含む。チャンネル構成情報は、たとえば、放送局に固有に割り当てられた論理チャンネル番号（ＬＣＮ：logical_channel_number）と、放送サービスに固有な識別情報（program_number：service_idともいう。）とを含む。放送国の情報は、たとえば、各国に固有に割り当てられたオリジナルネットワーク識別（original_network_id）を含む。
【０００３】
デジタルテレビ放送に関し、たとえば、特開２００６−９３８６８号公報（特許文献１）は、移動先の地域に対応したチャンネル設定へ自動的に変更できるデジタル放送受信装置を開示している（［要約］参照）。
【０００４】
特開２００４−２０１０２１号公報（特許文献２）は、衛星放送受信用及び地上波放送受信用の地域設定のずれにより起こる不具合を解消し、また、ユーザの転居等により居住地域が変更されても、新たな居住地域に対応した地域設定及びチャンネル設定が適切に行われるような衛星/地上波共用テレビジョン受信機を開示している（［要約］参照）。
【０００５】
特開２００３−１７９８２３号公報（特許文献３）は、受信地域が変わっても同じメモリ領域に元の受信地域の放送局と同じ系列の放送局を設定することができるテレビ受像機を開示している（［要約］参照）。
【０００６】
特表２００７−５０２０４８号公報（特許文献４）は、同じ国の異なる地域や異なる国などからの複数の放送を受信するデジタルテレビジョンレシーバにチャンネル番号を提供するための技術を開示している（［要約］参照）。
【０００７】
特開２００６−２３８３５９号公報（特許文献５）は、テレビジョン放送信号を受信し、映像を表示するテレビジョン受像機において、チャンネル番号の表示と共に放送国情報をＯＳＤ（On  Screen  Display）表示し、放送内容を把握せずとも放送国を判別できるようにする技術を開示している（［要約］参照）。
【特許文献１】特開２００６−９３８６８号公報
【特許文献２】特開２００４−２０１０２１号公報
【特許文献３】特開２００３−１７９８２３号公報
【特許文献４】特表２００７−５０２０４８号公報
【特許文献５】特開２００６−２３８３５９号公報
【発明の開示】
【発明が解決しようとする課題】
【０００８】
ところで、国によって、論理チャンネル番号（ＬＣＮ）をデジタルテレビ放送データに含めることを規定している国と、規定していない国とが存在する。そのため、チャンネル設定をテレビジョン受信装置の使用者（視聴者、設置者）が行なう必要があった。
【０００９】
本発明は、上述のような問題点を解決するためになされたものであって、その目的は、国ごとに応じたチャンネル設定を実現できるテレビジョン受信装置を提供することである。
【課題を解決するための手段】
【００１０】
上記の課題を解決するために、この発明のある局面に従うと、放送波を受信するためのテレビジョン受信装置が提供される。放送波は、放送波の発信国を特定するためのコードと、論理チャンネル番号の設定の要否を示すデータとを含む。テレビジョン受信装置は、放送波を受信するための受信手段と、放送波を受信する国として選択された国とを格納するように構成された記憶手段と、テレビジョン受信装置の動作を制御する制御装置とを備える。制御装置は、受信された放送波に含まれる設定の要否を示すデータに基づいて、選択された国が、論理チャンネル番号の設定に対応しているか否かを判断する第１の判断手段と、受信された放送波に含まれるコードと、選択された国とが一致しているか否かを判断する第２の判断手段と、受信された放送波が論理チャンネル番号を含むか否かを判断する第３の判断手段と、受信された放送波が論理チャンネル番号を含む場合に、論理チャンネル番号をテレビジョン受信装置のチャンネル番号に設定する第１の設定手段とを含む。
【００１１】
好ましくは、制御装置は、受信された放送波に含まれるコードと、選択された国とが一致しているか否かを判断する第４の判断手段と、コードと、選択された国とが一致している場合に、チャンネルの割り当てのために予め確保された番号を、テレビジョン受信装置が放送波を受信するためのチャンネル番号として設定する第２の設定手段とをさらに含む。
【００１２】
好ましくは、チャンネルの割り当てのために予め確保された番号は、１から７９９を含む。
【００１３】
好ましくは、選択された国が、論理チャンネル番号の設定に対応していない場合に、第４の判断手段は、コードと、選択された国とが一致しているか否かを判断する。
【００１４】
好ましくは、制御装置は、受信された放送波が論理チャンネル番号を含まない場合に、チャンネルの割り当てに使用されない番号として予め規定された番号以降に、テレビジョン受信装置が放送波を受信するためのチャンネル番号として設定する第３の設定手段をさらに含む。
【００１５】
好ましくは、予め規定された番号は、８００を含む。
好ましくは、放送波の発信国を特定するためのコードは、デジタル放送を一意に識別するオリジナルネットワーク識別を含む。
【発明の効果】
【００１６】
本発明に係るテレビジョン受信装置によると、国ごとに応じたチャンネル設定を実現できる。
【発明を実施するための最良の形態】
【００１７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１８】
図１を参照して、デジタル放送のトランスポートストリームにおいて規定される関係について説明する。図１は、国毎のオリジナルネットワーク識別（original_network_id）と、論理チャンネル番号ＬＣＮ（Logical_Channel_Number）との関係を表わす図である。欧州のデジタルテレビ放送においては、トランスポートストリームに含まれるチャンネル構成情報を受信装置に登録する際、当該テレビジョン受像装置が表示するチャンネル番号を割り当てる必要がある。そして、欧州の国においては、そのチャンネル番号情報をトランスポートストリームに含めることを規定している国と含まないことを規定している国とが存在する。
【００１９】
図１に示される例では、イギリス、フランスおよびイタリアは、チャンネル番号情報として、論理チャンネル番号ＬＣＮをトランスポートストリームに含めることを規定している。一方、ドイツおよびスペインは、論理チャンネル番号をトランスポートストリームに含めないことを規定している。イギリスについての当該規定は、「DTG  D-Book」に記載されている。フランスについての当該規定は、「CSA SERVICES ET PROFIL DE SIGNALISATION POUR LA DIFFUSIUN DE LA TV NUMERIQUE DE TERRE」に記載されている。イタリアについての当該規定は、「DGTVi  D-Book」に記載されている。ドイツについての当該規定は、「DVB-T  111  minimal-Anforderungen」に記載されている。スペインについての当該規定は、「Guia de Implementacion de LA TDT en Espana」に記載されている。
【００２０】
［機能構成］
図２を参照して、本発明の実施の形態に係るデジタルテレビ放送受信装置２００の構成について説明する。図２は、デジタルテレビ放送受信装置２００によって実現される機能の構成を表わすブロック図である。デジタルテレビ放送受信装置２００は、受信装置１１０と、記憶装置１２０と、制御装置１３０とを備える。制御装置１３０は、第１判断部１３２と、第２判断部１３４と、第３判断部１３６と、第４判断部１３８と、第１設定部１４０と、第２設定部１４２と、第３設定部１４４とを含む。
【００２１】
受信装置１１０は、デジタルテレビ放送波を受信する。受信装置１１０からの出力は、制御装置１３０に入力される。
【００２２】
記憶装置１２０は、デジタルテレビ放送受信装置２００の動作を制御するために予め設定されたデータおよび／又はプログラムと、制御装置１３０によって生成されたデータとを格納している。
【００２３】
制御装置１３０は、受信装置１１０から出力されたデータと、記憶装置１２０に格納されているデータとに基づいて、デジタルテレビ放送受信装置２００の動作を制御する。本実施の形態のある局面において、制御装置１３０は、デジタルテレビ放送の受信チャンネルを設定するための処理を実現する。
【００２４】
ある局面において、第１判断部１３２は、受信されたデジタルテレビ放送波に含まれる論理チャンネル番号の設定の要否を示すデータに基づいて、デジタルテレビ放送波を受信する国として選択された国が、論理チャンネル番号の設定に対応しているか否かを判断する。
【００２５】
第２判断部１３４は、第１判断部１３２の判断結果に基づいて、受信された当該デジタルテレビ放送波に含まれる上記コードと、当該選択された国とが、一致しているか否かを判断する。記憶装置１２０は、デジタルテレビ放送波を受信する国として、デジタルテレビ放送受信装置２００の使用者によって設定入力された国を特定するコードを格納している。受信する国は、たとえば、テレビ放送受信装置２００のディスプレイ２５６においてＣＰＵ２２０によって表示されるメニューから選択可能である。なお、受信する国の選択の形式はこれに限られない。
【００２６】
第３判断部１３６は、受信された当該デジタルテレビ放送波が論理チャンネル番号を含むか否かを判断する。たとえば、第３判断部１３６は、当該トランスポートストリームに含まれるＮＩＴ（Network  Information  Table）に含まれる論理チャンネル番号を参照して、当該放送波が論理チャンネル番号を含むか否かを判断する。第１設定部１４０は、当該デジタルテレビ放送波が論理チャンネル番号を含む場合に、その論理チャンネル番号をデジタルテレビ放送受信装置２００のチャンネル番号に設定する。第１設定部１４０は、その論理チャンネル番号を、記憶装置１２０において予め確保したメモリ領域に書き込む。
【００２７】
他の局面において、第４判断部１３８は、受信されたデジタルテレビ放送波に含まれる当該コードと、当該選択された国とが一致しているか否かを判断する。第２設定部１４２は、そのコードと選択された国とが一致している場合に、チャンネルの割り当てのために予め確保された番号を、デジタルテレビ放送受信装置２００が放送波を受信するためのチャンネル番号として設定する。第２設定部１４２は、その予め確保された番号を、記憶装置１２０において確保したメモリ領域に順に書き込む。
【００２８】
ある局面において、当該チャンネルの割り当てのために予め確保された番号は、１から７９９である。なお、予め確保された番号は、規格によって定まることが多い。したがって、当該番号は上記の具体的な範囲に限られず、規格に対応して確保された範囲の番号であればよい。
【００２９】
他の局面において、その選択された国が論理チャンネル番号の設定に対応していない場合には、対応判断部１３８は、当該コードとその選択された国とが一致しているか否かを判断する。
【００３０】
他の局面において、第３設定部１４４は、受信されたデジタルテレビ放送波が論理チャンネル番号を含まない場合に、チャンネルの割り当てに使用されない番号として予め規定された番号以降に、デジタルテレビ放送受信装置２００が放送波を受信するためのチャンネル番号として設定する。
【００３１】
好ましくは、当該予め規定された番号は、「８００」である。この場合、第３設定部１４４は、チャンネル番号８００以降昇順に、受信のためのチャンネル番号として記憶装置１２０のメモリ領域に設定する。なお、この予め規定された番号も、デジタル放送の規格によって定められるものであり、上記の数値に限られない。当該規格に応じて特定される番号であればよい。
【００３２】
好ましくは、当該放送波の発信国を特定するためのコードは、デジタル放送を一意に識別するオリジナルネットワーク識別（original_network_id）である。
【００３３】
［ハードウェア構成］
図３を参照して、本実施の形態に係るデジタルテレビ放送受信装置２００の構成についてさらに説明する。図３は、デジタルテレビ放送受信装置２００のハードウェア構成を表わすブロック図である。デジタルテレビ放送受信装置２００は、チューナ部２１０と、入力Ｉ／Ｆ（Interface）２１６と、受光器２１２と、操作スイッチ２１４と、ＣＰＵ（Central  Processing  Unit）２２０と、フラッシュメモリ２３０と、ＲＯＭ（Read Only Memory）２３２と、ＲＡＭ（Random  Access  Memory）２３４と、データ処理部２４０とを備える。データ処理部２４０は、フロントエンド２４２と、デマルチプレクサ２４４と、ビデオデコーダ２４６と、サブビデオデコーダ２４８と、合成回路２５０と、映像信号生成部２５２と、表示ドライバ２５４と、バッファ２５５と、ディスプレイ２５６と、オーディオデコーダ２６０と、音声信号生成部２６２と、増幅器２６４と、スピーカ２６６とを含む。
【００３４】
チューナ部２１０は、ＯＦＤＭ（Orthogonal  Frequency  Division  Multiplexing）復調部２１１を含む。
【００３５】
アンテナ（図示しない）によって受信されたデジタルテレビ放送波は、チューナ部２１０に入力される。チューナ部２１０において、ＯＦＤＭ復調部２１１は、デジタルテレビ放送波に対してＯＦＤＭ復調処理を施し、当該デジタルテレビ放送波に重畳されたＭＰＥＧ２（Moving  Picture  Experts  Group  Layer-2）トランスポートストリームＴＳを復元する。ＯＦＤＭ復調部２１１が復元したトランスポートストリームは、データ処理部２４０に送出される。
【００３６】
受光器２１２は、デジタルテレビ放送受信装置２００のリモコン端末（図示しない）によって発信されたリモコン制御信号を受信し、その信号に応じた命令信号を入力Ｉ／Ｆ２１６に送出する。
【００３７】
操作スイッチ２１４は、デジタルテレビ放送受信装置２００の筐体（図示しない）の前面に設けられている。操作スイッチ２１４は、たとえば、ボタン、トグルスイッチ、タッチパネル等によって実現される。操作スイッチ２１４は、デジタルテレビ放送受信装置２００に対する操作指示の入力を受け付ける。操作スイッチ２１４が受け付けた指示に応じた信号は、入力Ｉ／Ｆ２１６に送出される。
【００３８】
入力Ｉ／Ｆ２１６は、受光器２１２あるいは操作スイッチ２１４から送られた信号をＡ／Ｄ（Analog to Digital）変換し、デジタルデータをＣＰＵ２２０に送出する。
【００３９】
ＣＰＵ２２０は、フラッシュメモリ２３０、ＲＯＭ２３２またはＲＡＭ２３４に格納されているデータあるいはプログラムに基づいて、デジタルテレビ放送受信装置２００の動作を制御する。たとえば、ＣＰＵ２２０は、受光器２１２によって受信されたリモコン信号に基づいて、チューナ部２１０の選局動作を制御する。他の局面において、ＣＰＵ２２０は、ディスプレイ２５６における表示態様の切り換え指令、増幅器２６４に対する音声出力レベルの切り換え指令等を、データ処理部２４０に対して送出する。データ処理部う２４０は、各指令に応じて、当該信号を処理する。ディスプレイ２５６は、その処理後の信号に応じて画面を表示する。スピーカ２６６は、その処理後の信号に応じて増幅された音声を、出力する。
【００４０】
フラッシュメモリ２３０は、デジタルテレビ放送受信装置２００の動作を規定するために予め設定されたデータおよびプログラムを格納している。また他の局面において、フラッシュメモリ２３０は、ＣＰＵ２２０によって生成されたデータを格納する。
【００４１】
ＲＯＭ２３２は、デジタルテレビ放送受信装置２００に対して予め規定された処理を実行するために準備されたデータおよびプログラム、ならびに、デジタルテレビ放送受信装置２００に固有のデータ（たとえば製造番号など）を格納している。
【００４２】
ＲＡＭ２３４は、ＣＰＵ２２０によって生成されたデータを一時的に保持する。また、ＲＡＭ２３４は、ＣＰＵ２２０が実行するプログラムを実行可能な形式で一時的に保持する。
【００４３】
データ処理部２４０において、フロントエンド２４２は、チューナ部２１０から送出されたトランスポートストリームＴＳに対して、誤り訂正およびスクランブル解除などの前処理を実行する。フロントエンド２４２は、その前処理後のトランスポートストリームＴＳをデマルチプレクサ２４４に送出する。
【００４４】
デマルチプレクサ２４４は、入力されたトランスポートストリームＴＳをバッファ２５５に一時的に格納する。デマルチプレクサ２４４は、その一時的に格納したトランスポートストリームＴＳを予め設定された単位毎にバッファ２５５から読み出す。この読み出しの順序は、たとえば、予め設定されているが、データがバッファ２５５に格納された順序で読み出されるものであってもよい。
【００４５】
デマルチプレクサ２４４は、トランスポートストリームＴＳに多重化された複数の放送番組のデータから、ＣＰＵ２２０によって指示されたチャンネルに対応するＭＰＥＧデータと音声データとにそれぞれ分離し、分離されたＭＰＥＧデータを、ビデオデコーダ２４６および／またはサブビデオデコーダ２４８にそれぞれ送出する。また、デマルチプレクサ２４４は、音声データをオーディオデコーダ２６０に送出する。
【００４６】
ビデオデコーダ２４６は、ＭＰＥＧ形式のビデオデータに対してＭＰＥＧ圧縮符号化方式に準拠した伸長処理を実行し、その処理によって得られるビデオデータを合成回路２５０に送出する。
【００４７】
サブビデオデコーダ２４８は、ビデオデコーダ２４６と同様に、ＭＰＥＧビデオデータに対して、ＭＰＥＧ圧縮符号化方式に準拠した伸長処理を実行し、処理によって得られるデータを合成回路２５０に送出する。合成回路２５０は、ＣＰＵ２２０から送られる命令に基づいて、ビデオデコーダ２４６から送出されたビデオデータと、サブビデオデコーダ２４８から送出されたデータとを合成し、当該合成によって得られたデータを映像信号生成部２５２に送出する。なお、サブビデオデコーダ２４８がビデオデータを出力していない場合には、合成回路２５０は、ビデオデコーダ２４６から送られたデータをそのまま映像信号生成部２５２に送出する。
【００４８】
映像信号生成部２５２は、合成回路２５０から送られたビデオデータに対してＡ／Ｄ（Analog  to  Digital）処理を実行した後、ＰＡＬ（Phase  Alternation  by  Line）またはＮＴＳＣ（National  Television  System  Committee）などのテレビジョン方式に準拠した予め規定されたフォーマット変換処理を実行する。映像信号生成部２５２は、このフォーマット変換処理によって得られる信号を表示ドライバ２５４に送出する。
【００４９】
表示ドライバ２５４は、ＣＰＵ２２０から送られる命令に従って、映像信号生成部２５２から出力された信号をディスプレイ２５６に送出する。ディスプレイ２５６は、その信号に基づき映像を表示する。
【００５０】
一方、オーディオデコーダ２６０は、デマルチプレクサ２４４から出力されたＭＰＥＧオーディオデータに対してＭＰＥＧ圧縮符号化方式に準拠した予め規定された伸長処理を実行する。オーディオデコーダ２６０は、その処理によって得られるオーディオデータを音声信号生成部２６２に送出する。
【００５１】
音声信号生成部２６２は、オーディオデコーダ２６２から送られたデータをＤ／Ａ変換を実行し、アナログの音声信号を増幅器２６４に送出する。
【００５２】
増幅器２６４は、音声信号生成部２６２から送られた音声信号を、ＣＰＵ２２０からの命令に基づいて増幅し、増幅後の信号をスピーカ２６６に送出する。スピーカ２６６は、その信号に基づき音声を出力する。スピーカ２６６は、ステレオタイプであってもモノラルスピーカであってもよい。
【００５３】
［データ構造］
図４を参照して、本実施の形態に係るデジタルテレビ放送受信装置２００のデータ構造について説明する。図４は、フラッシュメモリ２３０におけるデータの格納の一態様を概念的に表わす図である。フラッシュメモリ２３０は、デジタルテレビ放送受信可能な国として予め製造者によって準備された複数の国のリスト４１０と、いずれの国で受信するかを表わす設定フラグ４２０と、物理チャンネル４３０と、設定されたチャンネル番号４４０と、チャンネル設定プログラム４５０と、ファームウェア４６０とを格納している。リスト４１０は、本実施の形態に係るデジタルテレビ放送受信装置２００が供給される国として予め想定された複数の国を含む。リスト４１０に含まれる国は、フラッシュメモリ２３０に対するデータの書き換えによって追加／削除その他の変更が可能である。
【００５４】
デジタルテレビ放送受信装置２００が放送波を受信する国を特定するために、設定フラグ４２０が使用される。設定フラグ４２０は、たとえば、デジタルテレビ放送受信装置２００のリモコン端末（図示しない）あるいは操作スイッチ２１４に対する操作によって設定入力することができる。図４に示される例では、イギリスがテレビ放送波を受信する国として設定されている（設定フラグ＝１）。
【００５５】
物理チャンネル４３０は、デジタルテレビ放送受信装置２００がディスプレイ２５６に表示するチャンネル番号として予め規定されている。当該リモコン端末のボタンも物理チャンネル４３０のチャンネル番号を選択可能なように構成されている。
【００５６】
これに対して、ＣＰＵ２２０によって選択されたチャンネル番号は、領域４４０に格納される。これにより、物理チャンネルと設定されたチャンネル番号とが関連付けられる。図４に示される例では、物理チャンネルのいずれもまだ具体的なチャンネル番号が設定されていないため、「ＮＵＬＬ」が格納されている。図２に示される機能が実行されてチャンネルが選択されると、領域４４０には、デジタルテレビ放送波から受信されたデータに基づくチャンネル番号が格納される。
【００５７】
チャンネル設定プログラム４５０がＣＰＵ２２０によって実行されると、図２に示される各機能が実現される。
【００５８】
ファームウェア４６０は、デジタルテレビ放送受信装置２００を実現するために製造者によって予め作成される。ファームウェア４６０は、チャンネル設定以外の機能を実現するために使用される。ファームウェアは、固定的なものではなく外部から与えられるデータに基づいて書き換え可能であってもよい。
【００５９】
図５を参照して、デジタルテレビ放送受信装置２００のデータ構造についてさらに説明する。図５は、オリジナルネットワーク識別と受信国の設定との関係に応じて規定される処理を示す図である。受信機国として「イギリス」が設定されている場合において、オリジナルネットワーク識別がイギリスのトランスポートストリーム（イギリスＴＳ）である場合、ＣＰＵ２２０は、処理Ａを選択するように構成されている。また、イギリスにおいて、オリジナルネットワーク識別がドイツ、フランス、スペインおよびイタリア（ドイツＴＳ、フランスＴＳ、スペインＴＳ、イタリアＴＳ）のいずれかが検出されると、処理ＣがＣＰＵ２２０によって選択される。
【００６０】
同様に、受信機国が「ドイツ」として設定されている場合、ＣＰＵ２２０は、デジタルテレビ放送波に基づいてオリジナルネットワーク識別がドイツであることを検知すると、処理Ｂを選択するように構成されている。また、デジタルテレビ放送受信装置２００がドイツにおいて設定される場合、ＣＰＵ２２０は、ドイツ以外の国を示すオリジナルネットワーク識別（イギリスＴＳ、フランスＴＳ、スペインＴＳ、イタリアＴＳ）を検出すると、処理Ｃを選択するように構成されている。
【００６１】
フランス、スペイン、およびイタリアについても同様に規定されている。さらに、いずれの国においても、規定された国以外のオリジナルネットワーク識別を含む放送波が受信されると、ＣＰＵ２２０は、処理Ｃを選択するように構成されている。ここで、ＣＰＵ２２０が処理Ａを選択すると、ＬＣＮ（論理チャンネル番号）が存在するチャンネルをＬＣＮと同じチャンネル番号に割り当てる。またＣＰＵ２２０は、ＬＣＮが存在しないチャンネルについては、チャンネル番号として８００番以降の番号を任意に割り当てる。たとえば、ＣＰＵ２２０は、８００番から昇順にチャンネル番号を割り当てる。あるいは予め設定された番号毎にたとえば偶数番あるいは奇数番など）に設定してもよい。
【００６２】
なお、図５に示される複数の国は、あくまで例示のためであって、本実施の形態に係るデジタルテレビ放送受信装置２００は、その他の国についても、各国についての規定とともに上述のような設定を受け付けることができる。
【００６３】
ＣＰＵ２２０は、処理Ｂを選択すると、１番から順にチャンネル番号を割り当てる。処理Ｂは、ＬＣＮが存在しない場合に実行される。
【００６４】
ＣＰＵ２２０は、処理Ｃを選択すると、デジタルテレビ放送の受信国として設定された国の隣の国の放送が受信されたと判定する。この場合、ＣＰＵ２２０は、デジタルテレビ放送受信装置２００が設定された国（視聴者自身の国）の放送波と区別するため、ＬＣＮの有無に関係なく、８００番以降にチャンネル番号を割り当てる。
【００６５】
［制御構造］
図６を参照して、本実施の形態に係るデジタルテレビ放送受信装置２００の制御構造について説明する。図６は、ＣＰＵ２２０が実行する一連の処理の一部を表わすフローチャートである。以下の処理は、たとえば、デジタルテレビ放送受信装置２００の使用者が、ディスプレイ２５６に表示されるメニュー画面において、「チャンネル番号登録処理」の項目を選択した場合に開始される。
【００６６】
ステップＳ６１０にて、ＣＰＵ２２０は、受信したデジタルテレビ放送のトランスポートストリームに含まれるＮＩＴに基づいて、デジタルテレビ放送受信装置２００の国の設定がＬＣＮの設定に対応している国であるか否かを判定する。ＣＰＵ２２０は、その国の設定がＬＣＮの設定に対応している国であると判定すると（ステップＳ６１０にてＹＥＳ）、制御をステップＳ６２０に切り換える。そうでない場合には（ステップＳ６１０にてＮＯ）、ＣＰＵ２２０は、制御をステップＳ６５０に切り換える。
【００６７】
ステップＳ６２０にて、ＣＰＵ２２０は、受信したデジタルテレビ放送のトランスポートストリームに含まれるオリジナルネットワーク識別が受信機国の設定（メモリ領域４２０）に一致するか否かを判定する。ＣＰＵ２２０は、オリジナルネットワーク識別と当該設定とが一致すると判定すると（ステップＳ６２０にてＹＥＳ）、制御をステップＳ６３０に切り換える。そうでない場合には（ステップＳ６２０にてＮＯ）、ＣＰＵ２２０は、制御をステップＳ６７０に切り換える。
【００６８】
ステップＳ６３０にて、ＣＰＵ２２０は、受信したデジタルテレビ放送から検出したチャンネル番号についてＬＣＮ情報が存在しているか否かを判定する。ＣＰＵ２２０は、ＬＣＮ情報がそのトランスポートストリームに存在していると判定すると（ステップＳ６３０にてＹＥＳ）、制御をステップＳ６４０に切り換える。そうでない場合には（ステップＳ６３０にてＮＯ）、ＣＰＵ２２０は、制御をステップＳ６７０に切り換える。
【００６９】
ステップＳ６４０にて、ＣＰＵ２２０は、ＬＣＮと同じチャンネル番号を受信のチャンネル番号として物理チャンネルに割り当てる（メモリ領域４３０、４４０）。
【００７０】
ステップＳ６５０にて、ＣＰＵ２２０は、トランスポートストリームから取得したオリジナルネットワーク識別が放送の受信のために選択された国と一致するかを判定する。ＣＰＵ２２０は、オリジナルネットワーク識別と当該選択された国とが一致すると判定すると（ステップＳ６５０にてＹＥＳ）、制御をステップＳ６６０に切り換える。そうでない場合には（ステップＳ６６０にてＮＯ）、ＣＰＵ２２０は、制御をステップＳ６７０に切り換える。
【００７１】
ステップＳ６６０にて、ＣＰＵ２２０は、デジタルテレビ放送を受信するためのチャンネルとして、１番から順にチャンネル番号を割り当てる。
【００７２】
ステップＳ６７０にて、ＣＰＵ２２０は、デジタルテレビ放送を受信するためのチャンネルとして、８００番以降にチャンネル番号を割り当てる。
【００７３】
以上のようにして、本発明の実施の形態に係るデジタルテレビ放送受信装置２００は、デジタルテレビ放送受信装置２００において設定された国（放送を受信するために選択された国）と、デジタルテレビ放送波に含まれる国情報とに基づいて、表示用のチャンネルを設定することができる。したがって、デジタルテレビ放送受信装置２００の使用者が、都度、表示用のチャンネルを設定する必要はない。
【００７４】
たとえば、ＬＣＮが含まれるデジタルテレビ放送波が放送される国においては、表示用のチャンネルとして、ＬＣＮに規定されているチャンネル番号に従って表示する。
【００７５】
また、ＬＣＮが含まれないデジタルテレビ放送波が放送される国においては、デジタル放送受信装置２００は、表示用のチャンネルとして、１番から順に設定する。
【００７６】
さらに、デジタルテレビ放送受信装置２００は、設置される国に隣接する国から放送されたデジタルテレビ放送波を受信すると、デジタル放送の規格に従ってデジタルテレビ放送受信装置２００において予め定められた範囲の番号を、表示用のチャンネルに設定する。このようにすると、自国で放送されるデジタルテレビ放送波の視聴のためのチャンネルと、近隣の国で放送されるデジタルテレビ放送の視聴のためのチャンネルとを、明確に区別して設定することができる。
【００７７】
これにより、チャンネルの設定が簡易に実現できるデジタルテレビ放送受信装置２００が提供される。
【００７８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７９】
【図１】国毎のオリジナルネットワーク識別（original_network_id）と、論理チャンネル番号ＬＣＮ（Logical_Channel_Number）との関係を表わす図である。
【図２】本発明の実施の形態に係るデジタルテレビ放送受信装置２００によって実現される機能の構成を表わすブロック図である。
【図３】デジタルテレビ放送受信装置２００のハードウェア構成を表わすブロック図である。
【図４】デジタルテレビ放送受信装置２００のフラッシュメモリ２３０におけるデータの格納の一態様を概念的に表わす図である。
【図５】オリジナルネットワーク識別と受信国の設定との関係に応じて規定される処理を示す図である。
【図６】デジタルテレビ放送受信装置２００のＣＰＵ２２０が実行する一連の処理の一部を表わすフローチャートである。
【符号の説明】
【００８０】
２００  デジタルテレビ放送受信装置、２３０  フラッシュメモリ。
【図１】
2009225267.tif 000003
【図２】
2009225267.tif 000004
【図３】
2009225267.tif 000005
【図４】
2009225267.tif 000006
【図５】
2009225267.tif 000007
【図６】
2009225267.tif 000008